(57)【特許請求の範囲】
【請求項１】
被検者に向けて放射線を照射する放射線照射部と、前記放射線照射部から照射され前記被検者を通過した放射線を検出する放射線検出器と、前記放射線照射部と前記被検者との間に配設された複数のコリメータリーフを備え、前記放射線照射部から前記被検者に向けて照射される放射線の範囲のサイズを変更するコリメータと、を検査室内に配設した放射線透視撮影装置において、
操作室内に配設され、前記放射線検出器により取得された画像を表示するための表示部と、
操作室内に配設され、前記コリメータリーフの開度を変更するための開度変更スイッチと、をさらに備え、
放射線透視を実行中に前記開度変更スイッチが操作されたときに、放射線透視を停止せずに前記コリメータリーフの開度を放射線撮影時の開度に変更し、前記コリメータリーフの開度を放射線撮影時の開度に変更した後における放射線透視における前記画像を前記表示部に表示する制御部を備えたことを特徴とする放射線透視撮影装置。
【請求項２】
請求項１に記載の放射線透視撮影装置において、
前記制御部は、前記開度変更スイッチが操作されて前記コリメータリーフの開度が放射線撮影時の開度に変更された後において、一定の時間が経過したとき、または、再度前記開度変更スイッチが操作されたときに、前記コリメータリーフの開度を再度放射線透視時の開度に変更する放射線透視撮影装置。
【発明の詳細な説明】
【技術分野】
【０００１】
この発明は、被検者に対して放射線透視および放射線撮影を実行する放射線透視撮影装置に関する。
【背景技術】
【０００２】
例えば、被検者に対してＸ線透視およびＸ線撮影を実行するためのＸ線透視撮影装置は、被検者に向けてＸ線を照射するＸ線管と、このＸ線管から照射され被検者を通過したＸ線を検出するフラットパネルディテクタやイメージインテンシファイア（Ｉ．Ｉ．）等のＸ線検出器と、Ｘ線管と被検者との間に配設された複数のコリメータリーフを備え、Ｘ線管から被検者に向けて照射されるＸ線の範囲のサイズを変更するコリメータとを備えたＸ線撮影部を有する。このＸ線撮影部は、検査室内に配設されている。また、このようなＸ線透視撮影装置は、Ｘ線検出器により取得された画像を表示するための表示部と、コリメータリーフの開度動作を含む各種のＸ線撮影動作を実行するための操作部を備えたコントローラとを有する。この表示部およびコントローラは、操作室内に設置される。
【０００３】
このようなＸ線透視撮影装置においては、Ｘ線透視時のＸ線照射野とＸ線撮影時のＸ線照射野とは、一般的に、互いに異なっている。このため、Ｘ線透視中にＸ線撮影に切り換えを行った場合、オペレータはどの範囲までが撮影されるのか確認することができない。従って、Ｘ線撮影に切り換えを行った後、再び、Ｘ線透視により撮影範囲の調整を行う必要がある場合がある。
【０００４】
一方、このようなＸ線透視撮影装置においては、Ｘ線照射野の範囲を確認するために、コリメータランプが使用されている。このコリメータランプは、ハーフミラー等を介してＸ線管の焦点と共役な位置に配置され、このコリメータランプから照射されコリメータリーフにより照射範囲が規制された光の照射野を確認することにより、Ｘ線照射野を確認することが可能となる。
【０００５】
また、特許文献１には、コリメータランプのスイッチを押すと、コリメータランプが点灯するとともに、コリメータリーフがフィルムによる撮影サイズに対応する位置まで移動し、コリメータランプが消灯すると、コリメータリーフがＩ．Ｉ．による撮影サイズに対応する位置まで移動するＸ線透視撮影台が開示されている。
【先行技術文献】
【特許文献】
【０００６】
【特許文献１】特開平７−８４８２号公報
【発明の概要】
【発明が解決しようとする課題】
【０００７】
上述した特許文献１に記載されたＸ線透視撮影台のように、コリメータランプによりＸ線透視時とＸ線撮影時におけるＸ線照射野を確認する手法によれば、オペレータが検査室内にいる場合であればＸ線照射野の確認は可能ではあるが、オペレータが操作室にいる場合にはＸ線照射野を正確に確認することはできない。このため、オペレータが操作室で検査を実行する場合に、Ｘ線透視中にＸ線撮影に切り換えを行ったときには、オペレータはどの範囲までが撮影されるのか確認することが困難となる。従って、Ｘ線撮影に切り換えを行った後、再び、Ｘ線透視により撮影範囲の調整を行う必要がある場合がある。
【０００８】
この発明は上記課題を解決するためになされたものであり、オペレータが操作室で検査を行う場合に、放射線透視中に、放射線撮影時における放射線の照射野を容易に確認することが可能な放射線透視撮影装置を提供することを目的とする。
【課題を解決するための手段】
【０００９】
請求項１に記載の発明は、被検者に向けて放射線を照射する放射線照射部と、前記放射線照射部から照射され前記被検者を通過した放射線を検出する放射線検出器と、前記放射線照射部と前記被検者との間に配設された複数のコリメータリーフを備え、前記放射線照射部から前記被検者に向けて照射される放射線の範囲のサイズを変更するコリメータと、を検査室内に配設した放射線透視撮影装置において、操作室内に配設され、前記放射線検出器により取得された画像を表示するための表示部と、操作室内に配設され、前記コリメータリーフの開度を変更するための開度変更スイッチと、をさらに備え、放射線透視を実行中に前記開度変更スイッチが操作されたときに、放射線透視を停止せずに前記コリメータリーフの開度を放射線撮影時の開度に変更し、前記コリメータリーフの開度を放射線撮影時の開度に変更した後における放射線透視における前記画像を前記表示部に表示する制御部を備えたことを特徴とする。
【００１０】
請求項２に記載の発明は、請求項１に記載の発明において、前記制御部は、前記開度変更スイッチが操作されて前記コリメータリーフの開度が放射線撮影時の開度に変更された後において、一定の時間が経過したとき、または、再度前記開度変更スイッチが操作されたときに、前記コリメータリーフの開度を再度放射線透視時の開度に変更する。
【発明の効果】
【００１１】
請求項１に記載の発明によれば、オペレータが操作室内において放射線透視および放射線撮影を実行する場合においても、放射線透視中に、放射線撮影時における放射線の照射野を、表示部に表示される画像に基づいて容易に確認することが可能となる。
【００１２】
請求項２に記載の発明によれば、放射線撮影時における放射線の照射野を確認した後に、継続して放射線透視を実行することが可能となる。
【図面の簡単な説明】
【００１３】
【図１】この発明に係る放射線透視撮影装置としてのＸ線透視撮影装置の概要図である。
【図２】検査室Ｒ２内に配設された透視撮影台の斜視図である。
【図３】コリメータ１２の斜視図である。
【図４】コリメータ１２の内部構造をＸ線管１１と共に示す概要図である。
【図５】操作室Ｒ１に設置されたコントローラ４２における操作パネル４３の概要図である。
【図６】この発明に係るＸ線透視撮影装置の主要な制御系を示すブロック図である。
【図７】コリメータ１２によるＸ線照射野の変更状態を示す概要図である。
【図８】Ｘ線透視時のＸ線照射野Ｅ１とＸ線撮影時のＸ線照射野Ｅ２とを示す説明図である。
【発明を実施するための形態】
【００１４】
以下、この発明の実施の形態を図面に基づいて説明する。図１は、この発明に係る放射線透視撮影装置としてのＸ線透視撮影装置の概要図である。また、図２は、検査室Ｒ２内に配設された透視撮影台の斜視図である。
【００１５】
このＸ線撮影装置は、被検者Ｍに対してＸ線撮影およびＸ線透視を実行するためのものであり、操作室Ｒ１内に設置された操作パネル４３を備えるコントローラ４２および表示部４１と、検査室Ｒ２内に設置された透視撮影台とを備える。操作室Ｒ１と検査室Ｒ２とは、隔壁２１により隔てられている。この隔壁２１には、Ｘ線を遮断可能な鉛ガラス窓２２が設けられており、オペレータＤは、この鉛ガラス窓２２を介して検査室Ｒ２内の状態を確認することが可能となっている。
【００１６】
操作室Ｒ１に設置されたコントローラ４２は、後述するように、装置全体を制御する制御部４０を備える。このコントローラ４２には、後述する各種の動作を実行させるための操作パネル４３が付設されている。また、操作室Ｒ１に設置された表示部４１は、液晶パネル等から構成され、Ｘ線検出器１４により取得するＸ線画像を表示する。
【００１７】
検査室Ｒ２に設置されたＸ線透視撮影台は、図２に示すように、基台１９上に立設された主支柱１５と、この主支柱１５に対して昇降可能に配設された保持部１６と、この保持部１６に回転可能に連結された天板１３と、Ｘ線管１１およびコリメータ１２を支持する支柱１７と、天板１３の表面の下方におけるＸ線管１１と対向する位置に配設されたフラットパネルディテクタ等のＸ線検出器１４とを備える。なお、図１においては、主支柱１５および保持部１６の図示を省略している。
【００１８】
保持部１６は、図２に示すＺ方向に昇降する。また、天板１３は、天板１３の長手方向と直交し、かつ、水平方向を向く軸（図２に示すＹ方向を向く軸）を中心として回転する。また、支柱１７とＸ線検出器１４とは、天板１３の長手方向に互いに同期して往復移動する。さらに、Ｘ線管１１およびコリメータ１２は、支柱１７とともに、図２に示すＺ方向に昇降する。なお、Ｘ線管１１およびコリメータ１２は、支柱１７に支持された状態で揺動可能となっている。
【００１９】
図３は、コリメータ１２の斜視図である。また、図４は、コリメータ１２の内部構造をＸ線管１１と共に示す概要図である。
【００２０】
図３に示すように、このコリメータ１２は、図４に示すコリメータランプ６６を点灯させるための照射野ランプボタン５１と、図４に示す４個の移動部材６３のうち互いに対向する移動部材６３を揺動させてＸ線照射野を調整するための一対の絞り調節器５２と、後述するコリメータリーフ６１の開度を変更する動作を含む各種の操作を行うための多目的スイッチ５３と、液晶表示部５４と、を有する操作パネル５０を備える。また、このコリメータ１２には、付加フィルターを挿入するための付加フィルター挿入口５５が形成されている。
【００２１】
図４に示すように、コリメータ１２は、軸６５と連結部材６４を介して連結され、この軸６５を中心に揺動可能な４個の移動部材６３（図４においては対向する２個のみを図示）を備える。この移動部材６３の上端には遮蔽内板６２が付設されており、移動部材６３の下端にはコリメータリーフ６１が付設されている。これらの移動部材６３は、対向配置された一対が互いに直交する方向に配置され、コリメータリーフ６１により矩形状の領域が形成される状態で配置される。
【００２２】
Ｘ線管１１から照射されたＸ線は、遮蔽内板６２によりその照射領域を制限された後、さらに、コリメータリーフ６１によりその照射領域を制限され、被検者Ｍに照射されるときには、矩形状のＸ線照射野を形成する。このように、遮蔽内板６２とコリメータリーフ６１との両方でＸ線を遮蔽してＸ線照射野を形成することから、Ｘ線の漏洩を確実に防止して、Ｘ線照射野を適正に形成することが可能となる。
【００２３】
また、Ｘ線の照射領域には、ミラー６７が配設されており、このミラー６７に対向する位置にはコリメータランプ６６が配設されている。コリメータランプ６６を点灯させた場合には、コリメータランプ６６からの光がミラー６７を介してコリメータリーフ６１方向に照射され、Ｘ線照射野に相当する光照射野が形成される。この光照射野を利用して、Ｘ線照射野が適切に形成されているか否かを検査室Ｒ２において確認することが可能となる。
【００２４】
図５は、操作室Ｒ１に設置されたコントローラ４２における操作パネル４３の概要図である。
【００２５】
この操作パネル４３は、液晶表示部４４と、図４に示す４個の移動部材６３のうち互いに対向する移動部材６３を揺動させてＸ線照射野を調整するための絞り調節器４５と、図４に示すコリメータランプ６６を点灯させるための照射野ランプボタン４６と、Ｘ線透視を実行中にコリメータリーフ６１の開度をＸ線撮影時の開度に変更するための開度変更スイッチ４７とを備える。
【００２６】
図６は、この発明に係るＸ線透視撮影装置の主要な制御系を示すブロック図である。
【００２７】
操作室Ｒ１に設置されたコントローラ４２は、装置全体を制御する制御部４０を備える。また、検査室Ｒ２に設置されたコリメータ１２は、上述した移動部材６３に揺動によりコリメータリーフ６１を開閉するためのコリメータリーフ駆動部６９を備える。コリメータリーフ６１の開閉動作や、コリメータランプ６６の点灯動作は、コントローラ４２における操作パネル４３と、コリメータ１２における操作パネル５０の両方から実行することが可能となっている。
【００２８】
以上のような構成を有するＸ線透視撮影装置においてＸ線透視を実行するときには、オペレータＤが操作室Ｒ１内に設置されたコントローラ４２における操作パネル４３を操作してコリメータリーフ６１の開度等を調整する。そして、Ｘ線検出器１４により検出されたＸ線透視画像は、表示部４１に表示される。
【００２９】
このＸ線透視の実行中に、Ｘ線撮影を行う場合がある。このときには、Ｘ線透視時のＸ線照射野とＸ線撮影時のＸ線照射野とは、一般的に、互いに異なっていることから、Ｘ線透視中にＸ線撮影に切り換えを行った場合、検査室Ｒ１にいるオペレータＤはどの範囲までが撮影されるのか確認することができない。このため、この発明に係るＸ線透視撮影装置においては、Ｘ線透視を実行中に操作パネル４３における開度変更スイッチ４７が操作されたときに、制御部４０の制御によりコリメータリーフ６１の開度をＸ線撮影時の開度に変更する構成を採用している。
【００３０】
図７は、コリメータ１２によるＸ線照射野の変更状態を示す概要図であり、図８は、Ｘ線透視時のＸ線照射野Ｅ１とＸ線撮影時のＸ線照射野Ｅ２とを示す説明図である。
【００３１】
Ｘ線透視を実行しているときには、図７（ａ）に示すように、コリメータ１２におけるコリメータリーフ６１は、Ｘ線透視時におけるＸ線照射野Ｅ１が形成される位置に配置されている。この状態において、操作室Ｒ１で操作を行っているオペレータＤが、Ｘ線撮影時のＸ線照射野を確認するために開度変更スイッチ４７を操作したときには、制御部４０の制御により、図７（ｂ）に示すように、コリメータリーフ６１は、Ｘ線撮影時におけるＸ線照射野Ｅ２が形成される位置まで移動する。オペレータＤは、操作室Ｒ１に設置された表示部４１に表示されるＸ線画像を確認することにより、Ｘ線撮影時のＸ線照射野Ｅ２を認識することが可能となる。この状態で、必要に応じ、Ｘ線撮影が実行される。
【００３２】
しかる後、オペレータＤが、再度、開度変更スイッチ４７を操作したときには、制御部４０の制御により、図７（ａ）に示すように、コリメータ１２におけるコリメータリーフ６１は、Ｘ線照射野Ｅ１が形成される位置に移動する。また、オペレータＤがＸ線撮影時のＸ線照射野を確認するために開度変更スイッチ４７を操作した後、一定の時間が経過した場合においても、制御部４０の制御により、コリメータ１２におけるコリメータリーフ６１は、Ｘ線照射野Ｅ１が形成される位置に移動する。これにより、Ｘ線撮影時におけるＸ線の照射野を確認した後に、継続してＸ線透視を実行することが可能となる。
【００３３】
以上のように、この発明に係るＸ線透視撮影装置によれば、Ｘ線透視を実行中においても、Ｘ線撮影時のＸ線照射野を、操作室Ｒ１内において、表示部４１により確認することが可能となる。
【符号の説明】
【００３４】
１１      Ｘ線管
１２      コリメータ
１３      天板
１４      Ｘ線検出器
４０      制御部
４１      表示部
４２      コントローラ
４３      操作パネル
４７      開度変更スイッチ
５０      操作パネル
６１      コリメータリーフ
６２      遮蔽内板
６６      コリメータランプ
６７      ミラー
６９      コリメータリーフ駆動部
Ｅ１      Ｘ線透視時の照射野
Ｅ２      Ｘ線撮影時の照射野
Ｄ        オペレータ
Ｍ        被検者
Ｒ１      操作室
Ｒ２      検査室
【図１】
0006561703.tif 000002
【図２】
0006561703.tif 000003
【図３】
0006561703.tif 000004
【図４】
0006561703.tif 000005
【図５】
0006561703.tif 000006
【図６】
0006561703.tif 000007
【図７】
0006561703.tif 000008
【図８】
0006561703.tif 000009